(57)【要約】【課題】  定着ローラーと加圧ローラーとの間でトナー画像を記録媒体に定着させ、この記録媒体を定着ローラーの外周面に接触させた分離爪によって分離させる一方、トナー画像を記録媒体に定着させない場合に、分離爪を定着ローラーの外周面から離間させて、定着ローラーの外周面や分離爪の表面が摩耗するのを簡単に防止する。【解決手段】  定着ローラー31と加圧ローラー32との間でトナー画像を記録媒体Sに定着させ、定着ローラーの外周面に接触させた分離爪34により記録媒体を定着ローラーから分離させる定着装置30において、定着ローラーと同期して回転する第１回転ギア41と、第１回転ギアの回転に伴って、定着ローラーの周方向に移動する第２回転ギア42と、第２回転ギアの移動に伴って、定着ローラーの外周面に対する分離爪の接触・離間を制御する分離爪制御手段50とを設けた。【選択図】  図７
2014085567.tif 000002
【特許請求の範囲】
【請求項１】
定着ローラーを回転させて、この定着ローラーと加圧部材との間でトナー画像を記録媒体に定着させ、前記の定着ローラーの外周面に接触させた分離爪によって、トナー画像が定着された記録媒体を定着ローラーから分離させる定着装置において、
前記の定着ローラーと同期して回転する第１回転部材と、
第１回転部材の回転に伴って、定着ローラーの周方向に移動する第２回転部材と、
第２回転部材の移動に伴って、前記の定着ローラーの外周面に対する分離爪の接触・離間を制御する分離爪制御手段と、
を設けたことを特徴とする定着装置。
【請求項２】
請求項１に記載の定着装置において、前記の第１回転部材と第２回転部材としては、互いに噛み合って回転する第１回転ギアと第２回転ギアとを用いたことを特徴とする定着装置。
【請求項３】
請求項１又は請求項２に記載の定着装置において、前記の分離爪制御手段は、前記の定着ローラーと第１回転部材とがトナー画像を記録媒体に定着させる方向に回転された場合に、前記の第２回転部材の移動に伴って、前記の分離爪を定着ローラーの外周面に接触させる一方、前記の定着ローラーと第１回転部材とがトナー画像を記録媒体に定着させる方向と逆方向に回転された場合に、前記の第２回転部材の移動に伴って、前記の分離爪を定着ローラーの外周面から離間させることを特徴とする定着装置。
【請求項４】
請求項１〜請求項３の何れか１項に記載の定着装置において、前記の定着ローラーを加熱させる加熱装置を設けたことを特徴とする定着装置。
【請求項５】
請求項４に記載の定着装置において、前記の加熱装置として誘導加熱方式の加熱装置を用い、トナー画像を記録媒体に定着させる定着動作時以外にも、前記の定着ローラーを回転させることを特徴とする定着装置。
【請求項６】
請求項１〜請求項５の何れか１項に記載の定着装置において、前記の分離爪制御手段として、前記の第２回転部材の移動に伴って、分離爪を定着ローラーの外周面に対して接触・離間させる回動部材を設けたことを特徴とする定着装置。
【請求項７】
請求項１〜請求項６の何れか１項に記載の定着装置を備えていることを特徴とする画像形成装置。
【発明の詳細な説明】
【技術分野】
【０００１】
本発明は、トナー画像を記録媒体に定着させるのに使用する定着装置及びこの定着装置を用いた複写機，プリンター，ファクシミリ及びこれらの複合機等の画像形成装置に関するものである。特に、定着ローラーを回転させて、この定着ローラーと加圧部材との間でトナー画像を記録媒体に定着させ、前記の定着ローラーの外周面に接触させた分離爪によって、トナー画像が定着された記録媒体を定着ローラーから分離させるようにした定着装置において、トナー画像を記録媒体に定着させない場合に、分離爪を定着ローラーの外周面から簡単に離間させて、定着ローラーの外周面や分離爪の表面が摩耗するのを適切に防止するようにした点に特徴を有するものである。
【背景技術】
【０００２】
従来から、複写機，プリンター，ファクシミリ及びこれらの複合機等の電子写真方式を用いた画像形成装置においては、一般に、感光体等からトナー画像が転写された記録媒体を定着装置に導き、この定着装置においてトナー画像を記録媒体に定着させるようにしている。
【０００３】
ここで、このような定着装置の一つとして、従来から、加熱装置によって加熱された定着ローラーを回転させると共に、この定着ローラーに加圧ローラー等の加圧部材を圧接させ、この定着ローラーと加圧部材との間においてトナー画像が転写された記録媒体を加熱・加圧して、トナー画像を記録媒体に定着させると共に、定着ローラーの外周面に接触させた分離爪によって、トナー画像が定着された記録媒体を定着ローラーから分離させるようにしたものが使用されている。
【０００４】
そして、このような定着装置において、分離爪を常に定着ローラーの外周面に接触させるようにした場合、分離爪と接触する定着ローラーの外周面が局部的に摩耗して、定着ローラーの寿命が低下し、また分離爪の表面が摩耗して、安定した分離が行えなくなる等の問題があった。特に、誘導加熱方式の加熱装置によって定着ローラーを加熱させるようにした定着装置の場合、定着ローラーの回転を停止させると、前記の加熱装置が設けられた定着ローラーの一部だけが加熱されて高温になるため、定着動作時以外においても、定着ローラーを回転させるようにしており、この場合には、定着ローラーの外周面や分離爪の表面の摩耗がさらに大きくなるという問題があった。
【０００５】
そして、従来においては、特許文献１に示されるように、分離爪を定着ローラーの外周面から離間させた状態にし、記録媒体が定着ローラーと加圧ローラーとの間に導かれた際に、記録媒体によって加圧レバーを回動させ、この加圧レバーにより補助レバーやスライド部材を介して、分離爪を定着ローラーの外周面に当接させるようにしたものが提案されている。
【０００６】
また、特許文献２に示されるように、複数の分離爪を定着ローラーの外周面に接触させるにあたり、各分離爪を接触するようにして、所要間隔を介して複数の突起部が設けられたスライド軸を設け、このスライド軸の突起部と接触する分離爪を定着ローラーから離間させる一方、突起部間のスライド軸に接触する分離爪を定着ローラーの外周面に接触させるようにし、定着ローラーの回転を制御して前記のスライド軸をスライドさせ、定着ローラーの外周面に接触する分離爪の位置を適宜変更させるようにしたものが提案されている。
【０００７】
しかし、特許文献１に示されるように、定着ローラーと加圧ローラーとの間に導かれた記録媒体により加圧レバーを回動させて、分離爪を定着ローラーの外周面に当接させる場合、薄紙のように剛性が低い記録媒体においては、加圧レバーが適切に回動されず、分離爪が定着ローラーの外周面に当接されなくなって、記録媒体を定着ローラーから適切に分離させることができなくなる等の問題があった。
【０００８】
また、特許文献２に示されるように、定着ローラーの回転を制御して、前記のスライド軸をスライドさせ、定着ローラーの外周面に接触する分離爪の位置を変更させるようにした場合においても、定着ローラーの外周面に何れかの分離爪が接触した状態になり、定着ローラーの外周面が摩耗したり、分離爪の表面が摩耗したりするのを十分に抑制することができないという問題があった。
【０００９】
また、従来においては、定着ローラーを駆動させる駆動装置とは別に、分離爪を移動させる分離爪用の駆動装置を設け、この分離爪用の駆動装置により、分離爪を定着ローラーの外周面に対して接触・離間させるようにしたものも存在している。
【００１０】
しかし、定着ローラーとは別の分離爪用の駆動装置を設ける場合には、装置が大型化すると共に、コストが高く付く等の問題があった。
【先行技術文献】
【特許文献】
【００１１】
【特許文献１】特開平４−２９１３８４号公報
【特許文献２】特開平７−２６１５８９号公報
【発明の開示】
【発明が解決しようとする課題】
【００１２】
本発明は、定着ローラーを回転させて、この定着ローラーと加圧部材との間でトナー画像を記録媒体に定着させ、前記の定着ローラーの外周面に接触させた分離爪によって、トナー画像が定着された記録媒体を定着ローラーから分離させるようにした定着装置における前記のような問題を解決することを課題とするものである。
【００１３】
すなわち、本発明においては、前記のような定着装置において、分離爪を移動させるために、定着ローラーの駆動装置とは別の分離爪用の駆動装置を設けなくても、トナー画像を記録媒体に定着させる場合には、分離爪を定着ローラーの外周面に接触させて、トナー画像が定着された記録媒体を定着ローラーから適切に分離させる一方、トナー画像を記録媒体に定着させない場合には、分離爪を定着ローラーの外周面から離間させて、定着ローラーの外周面や分離爪の表面が摩耗するのを適切に防止することが簡単に行なえるようにすることを課題とするものである。
【課題を解決するための手段】
【００１４】
本発明に係る定着装置においては、定着ローラーを回転させて、この定着ローラーと加圧部材との間でトナー画像を記録媒体に定着させ、前記の定着ローラーの外周面に接触させた分離爪によってトナー画像が定着された記録媒体を定着ローラーから分離させる定着装置において、前記の定着ローラーと同期して回転する第１回転部材と、第１回転部材の回転に伴って、定着ローラーの周方向に移動する第２回転部材と、第２回転部材の移動に伴って、前記の定着ローラーの外周面に対する分離爪の接触・離間を制御する分離爪制御手段と、を設けるようにした。
【００１５】
このようにすると、分離爪を移動させるために、定着ローラーの駆動装置とは別に分離爪用の駆動装置を設けなくても、定着ローラーの回転と同期して回転する第１回転部材の回転に伴って、第２回転部材を定着ローラーの周方向に移動させ、この第２回転部材の移動に伴って、前記の分離爪制御手段により、分離爪を定着ローラーの外周面に接触させたり、定着ローラーの外周面から離間させたりすることができる。
【００１６】
ここで、本発明に係る定着装置において、前記の第１回転部材や第２回転部材としては、互いに噛み合って回転する第１回転ギアと第２回転ギアとを用いることができる。
【００１７】
また、本発明に係る定着装置においては、前記の分離爪制御手段により、前記の定着ローラーと第１回転部材とがトナー画像を記録媒体に定着させる方向に回転された場合に、前記の第２回転部材の移動に伴って、前記の分離爪を定着ローラーの外周面に接触させるようにする一方、前記の定着ローラーと第１回転部材とがトナー画像を記録媒体に定着させる方向と逆方向に回転された場合に、前記の第２回転部材の移動に伴って、前記の分離爪を定着ローラーの外周面から離間させるようにすることができる。
【００１８】
このようにすると、トナー画像を記録媒体に定着させる場合に、前記の定着ローラーを、トナー画像を記録媒体に定着させる方向に回転させると、前記の分離爪制御手段により、分離爪が定着ローラーの外周面に接触され、トナー画像が定着された記録媒体が、この分離爪によって定着ローラーの外周面から適切に分離されるようになる。一方、トナー画像を記録媒体に定着させない場合に、前記の定着ローラーを、トナー画像を記録媒体に定着させる方向と逆方向に回転させると、前記の分離爪制御手段により、分離爪が定着ローラーの外周面から離間されて、回転する定着ローラーの外周面に分離爪が接触するのが防止される。
【００１９】
また、本発明の定着装置においては、トナー画像を記録媒体に適切に定着させるために、前記の定着ローラーを加熱装置によって加熱させるようにすることが好ましい。また、前記の加熱装置として、誘導加熱方式の加熱装置を用いた定着装置のように、定着ローラーの一部だけが加熱されて高温になるのを防止するため、定着動作時以外にも定着ローラーを回転させる場合において、前記のように定着ローラーを、トナー画像を記録媒体に定着させる方向と逆方向に回転させると、定着ローラーの一部だけが加熱されて高温になるのが防止されると共に、前記の分離爪制御手段により、分離爪が定着ローラーの外周面から離間され、分離爪が回転する定着ローラーの外周面に接触するのが防止される。
【００２０】
また、前記の分離爪制御手段としては、例えば、前記の第２回転部材の移動に伴って、分離爪を定着ローラーの外周面に対して接触・離間させる回動部材を設けるようにすることができる。
【００２１】
そして、本発明の画像形成装置においては、前記の定着装置を用いてトナー画像を記録媒体に定着させるようにした。
【発明の効果】
【００２２】
本発明の定着装置においては、前記のように定着ローラーと同期して回転する第１回転部材と、第１回転部材と噛み合って回転しながら定着ローラーの周方向に移動する第２回転部材とを設け、前記の分離爪制御手段により、第２回転部材の移動に伴って、定着ローラーの外周面に対する分離爪の接触・離間を制御するようにしたため、定着ローラーの駆動装置とは別の分離爪用の駆動装置を設けなくても、分離爪を定着ローラーの外周面に接触させたり、定着ローラーの外周面から離間させたりすることができる。
【００２３】
また、本発明に係る定着装置において、定着ローラーと第１回転部材とがトナー画像を記録媒体に定着させる方向に回転された場合に、第２回転部材の移動に伴って、前記の分離爪制御手段により、分離爪が定着ローラーの外周面に接触されるようにすると、定着ローラーを定着方向に回転させて、トナー画像を記録媒体に定着させる場合には、分離爪が定着ローラーの外周面に接触されて、トナー画像が定着された記録媒体が、この分離爪によって定着ローラーの外周面から適切に分離されるようになる。
【００２４】
一方、定着ローラーと第１回転部材とがトナー画像を記録媒体に定着させる方向と逆方向に回転された場合に、第２回転部材の移動に伴って、前記の分離爪制御手段により、分離爪が定着ローラーの外周面から離間されるようにすると、トナー画像を記録媒体に定着させない場合に、定着ローラーを定着方向と逆方向に回転させて、分離爪を定着ローラーの外周面から離間させることができ、分離爪が回転する定着ローラーの外周面に接触して、定着ローラーの外周面が摩耗したり、分離爪の表面が摩耗したりするのが簡単に防止されるようになる。特に、誘導加熱方式の加熱装置を用いた定着装置においては、トナー画像を記録媒体に定着させない場合に、定着ローラーを定着方向と逆方向に回転させることにより、定着ローラーの一部だけが加熱されて高温になるのも防止できるようになる。
【００２５】
この結果、本発明の定着装置を使用すると、定着ローラーの駆動装置とは別に分離爪を移動させるための分離爪用の駆動装置を別に設けなくても、トナー画像を記録媒体に定着させる場合には、分離爪を定着ローラーの外周面に接触させて、トナー画像が定着された記録媒体を定着ローラーから適切に分離させる一方、トナー画像を記録媒体に定着させない場合には、分離爪を定着ローラーの外周面から離間させて、定着ローラーの外周面や分離爪の表面が摩耗するのを適切に防止することが簡単に行なえるようになる。
【図面の簡単な説明】
【００２６】
【図１】本発明の実施形態に係る定着装置を使用する画像形成装置の例を示した概略説明図である。
【図２】本発明の実施形態に係る定着装置において、分離爪制御手段により定着ローラーの外周面に対する分離爪の接触・離間を制御する例を示した概略斜視図である。
【図３】前記の実施形態に係る定着装置において、分離爪制御手段により定着ローラーの外周面に対する分離爪の接触・離間を制御する例を示した概略側面図である。
【図４】前記の実施形態に係る定着装置において、定着ローラーと同期して回転する第１回転ギアの回転に伴って、第２回転ギアを定着ローラーの周方向に移動させ、この第２回転ギアの移動に伴って、前記の分離爪制御手段により定着ローラーの外周面に対する分離爪の接触・離間を制御する例を示した概略側面図である。
【図５】前記の実施形態に係る定着装置において、定着ローラーと同期して回転する第１回転ギアの回転に伴って、第２回転ギアを定着ローラーの周方向に移動させ、この第２回転ギアの移動に伴って、前記の分離爪制御手段により、定着ローラーの外周面に対する分離爪の接触・離間を制御する例を示した概略正面図である。
【図６】前記の実施形態に係る定着装置において、前記の第２回転ギアの回転軸をプレートに設けられたガイド穴に挿通させた状態を示し、（Ａ）は定着ローラーが定着方向に回転されて、第２回転ギアの回転軸がガイド穴における回動部材側の端部に導かれた状態を、（Ｂ）は定着ローラーが定着方向と逆方向に回転されて、第２回転ギアの回転軸がガイド穴における回動部材と離れた側の端部に導かれた状態を示した概略部分説明図である。
【図７】前記の実施形態に係る定着装置において、前記の第２回転ギアの回転軸が定着ローラーの周方向に移動して、分離爪制御手段により定着ローラーの外周面に対する分離爪の接触・離間を制御する状態を示し、（Ａ）は定着ローラーが定着方向に回転されて、第２回転ギアの回転軸が回動部材に向かう方向に移動され、分離爪の端部が定着ローラーの外周面に接触した状態を、（Ｂ）は定着ローラーが定着方向と逆方向に回転されて、第２回転ギアの回転軸が回動部材と離れる方向に移動され、分離爪の端部が定着ローラーの外周面から離間された状態を示した概略説明図である。
【発明を実施するための最良の形態】
【００２７】
次に、本発明の実施形態に係る定着装置及びこの定着装置を使用する画像形成装置を添付図面に基づいて具体的に説明する。なお、本発明に係る定着装置及び画像形成装置は、下記の実施形態に示したものに限定されず、その要旨を変更しない範囲において適宜変更して実施できるものである。
【００２８】
この実施形態の画像形成装置１においては、図１に示すように、その内部に４つのイメージングカートリッジ１０Ａ〜１０Ｄを装着させている。
【００２９】
ここで、前記の各イメージングカートリッジ１０Ａ〜１０Ｄにおいては、感光体１１と、この感光体１１の表面を帯電させる帯電装置１２と、帯電された感光体１１の表面に画像情報に応じた露光を行って感光体１１の表面に静電潜像を形成する露光装置１３と、感光体１１の表面に形成された静電潜像にトナーを供給してトナー画像を形成する現像装置１４と、感光体１１の表面に形成されたトナー画像を中間転写ベルト２１に転写させた後に残留するトナーを感光体１１の表面から除去するクリーニング装置１５とを設けている。
【００３０】
また、前記の各イメージングカートリッジ１０Ａ〜１０Ｄにおける各現像装置１４においては、それぞれ収容させるトナーの色彩を異ならせ、黒色，黄色，マゼンダ色，シアン色のトナーを収容させている。
【００３１】
そして、この画像形成装置１においては、前記の各イメージングカートリッジ１０Ａ〜１０Ｄにおいて、それぞれ感光体１１の表面を帯電装置１２によって帯電させ、このように帯電された各感光体１１の表面に、それぞれ露光装置１３によって画像情報に応じた露光を行い、各感光体１１の表面にそれぞれ画像情報に応じた静電潜像を形成し、このように各感光体１１の表面に形成された静電潜像に、前記の各現像装置１４からそれぞれの色彩のトナーを供給して、各感光体１１の表面にそれぞれの色彩のトナー画像を形成するようにしている。
【００３２】
次いで、このように各イメージングカートリッジ１０Ａ〜１０Ｄにおける各感光体１１の表面に形成された各色彩のトナー画像を、中間転写ベルト２１に順々に転写させて、この中間転写ベルト２１の上に合成されたトナー画像を形成すると共に、転写後の各感光体１１の表面に残留するトナーをそれぞれクリーニング装置１５によって各感光体１１の表面から除去するようにしている。
【００３３】
一方、この画像形成装置１内に収容された記録媒体Ｓを給紙ローラー２２により給紙してタイミングローラー２３に導き、このタイミングローラー２３によって記録媒体Ｓをタ適当なタイミングで前記の中間転写ベルト２１と転写ローラー２４との間に導き、中間転写ベルト２１上に形成された前記のトナー画像を、この記録媒体Ｓに転写させるようにしている。そして、記録媒体Ｓに転写されずに中間転写ベルト２１上に残ったトナーを、第２クリーニング装置２５によって中間転写ベルト２１から除去するようにしている。
【００３４】
また、前記のようにしてトナー画像が転写された記録媒体Ｓを定着装置３０に導き、この定着装置３０において、前記のトナー画像を記録媒体Ｓに定着させ、その後、トナー画像が定着された記録媒体Ｓを排紙ローラー２７によって排紙するようにしている。
【００３５】
ここで、前記の定着装置３０においては、定着ローラー３１と対向して接触するように加圧ローラー（加圧部材）３２を配置させ、定着ローラー３１の回転に伴って加圧ローラー３２を回転させると共に、回転する定着ローラー３１を誘導加熱方式の加熱装置３３によって加熱させ、このように加熱された定着ローラー３１と加圧ローラー３２との間でトナー画像を記録媒体Ｓに加熱定着させた後、定着ローラー３１の外周面に接触させた分離爪３４により、トナー画像が定着された記録媒体Ｓを定着ローラー３１から分離させるようにしている。
【００３６】
そして、この実施形態における定着装置３０においては、図２及び図３に示すように、前記の定着ローラー３１の軸方向に所要間隔を介して複数の分離爪３４を並設させ、支点３４ａを中心にして、各分離爪３４を前記の定着ローラー３１に対して近接・離間する方向に回動可能に設けると共に、前記の定着ローラー３１の外周面に接触する分離爪３４の先端部と支点３４ａを介して反対側の端部にバネ３４ｂを設け、このバネ３４ｂにより、分離爪３４の先端部を定着ローラー３１の外周面に接触する方向に付勢させて、分離爪３４の先端部を定着ローラー３１の外周面に接触させるようにしている。
【００３７】
また、前記の各分離爪３４を定着ローラー３１の外周面に対して接触・離間させる分離爪制御手段５０として、支点５１ａを中心に回動する回動部材５１を並設された分離爪３４の両側に設け、この両側の回動部材５１を連結するように軸部材５２を設け、この軸部材５２を分離爪３４に当接させるようにすると共に、前記の回動部材５１に後述する第２回転ギア（第２回転部材）４２の回転軸４２ａと当接する当接部５３を設け、この当接部５３にバネ部材５４を取り付け、このバネ部材５４により、回動部材５１における前記の軸部材５２によって分離爪３４を定着ローラー３１の外周面から離間させる方向に付勢させるようにしている。
【００３８】
また、この実施形態における定着装置３０においては、図４及び図５に示すように、前記の定着ローラー３１と同期して回転するように第１回転ギア（第１回転部材）４１を定着ローラー３１の回転軸３１ａに取り付けると共に、この第１回転部材４１と噛み合うようにして第２回転ギア（第２回転部材）４２を第１回転ギア４１に対して移動可能に設けている。
【００３９】
そして、前記の第２回転ギア４２の回転軸４２ａを、定着ローラー３１の回転軸３１ａに回転可能に保持された保持部材４３の端部に回転可能に保持させ、前記の第１回転ギア４１の回転に伴って、この第２回転ギア４２が第１回転ギア４１の周方向、すなわち定着ローラー３１の周方向に移動すると共に、前記の保持部材４３が定着ローラー３１の周方向に回動するようにしている。
【００４０】
また、図５及び図６（Ａ），（Ｂ）に示すように、前記の第２回転ギア４２と保持部材４３との間にプレート４４を設け、このプレート４４に設けられたガイド穴４４ａに前記の第２回転ギア４２の回転軸４２ａを挿通させ、この第２回転ギア４２の回転軸４２ａが、ガイド穴４４ａの範囲内で定着ローラー３１の周方向に移動するようにしている。
【００４１】
ここで、前記の定着ローラー３１と加圧ローラー３２との間でトナー画像を記録媒体Ｓに定着させる場合において、トナー画像を記録媒体に定着させる方向に定着ローラー３１を回転させると、これに伴って前記の第１回転ギア４１が定着ローラー３１と同方向に回転し、前記の第２回転ギア４２が、第１回転ギア４１の回転に伴って定着ローラー３１の回転方向、すなわち回動部材５１に近づく方向に移動し、この第２回転ギア４２の回転軸４２ａが、前記の図６（Ａ）に示すように、前記のガイド穴４４ａにおける回動部材５１側の端部に導かれ、この位置において、第２回転ギア４２が第１回転ギア４１の回転に伴って回転するようになる。
【００４２】
そして、前記のように移動する第２回転ギア４２の回転軸４２ａによって前記の回動部材５１における当接部５３が押され、図７（Ａ）に示すように、この回動部材５１が、前記のバネ部材５４に抗して、その支点５１ａを中心にして第２回転ギア４２の回転軸３１ａの移動方向、すなわち定着ローラー３１に近づく方向に回動して、この回動部材５１における前記の軸部材５２が分離爪３４から離れる方向に移動するようになる。このように前記の軸部材５２が分離爪３４から離れる方向に移動されると、分離爪３４が前記のバネ３４ｂにより付勢されて定着ローラー３１側に回動されて、この分離爪３４の先端部が定着ローラー３１の外周面に接触し、トナー画像が定着された記録媒体Ｓがこの分離爪３４によって定着ローラー３１から適切に分離されるようになる。
【００４３】
一方、トナー画像を記録媒体Ｓに定着させない場合において、前記の定着ローラー３１を、トナー画像を記録媒体Ｓに定着させる場合と逆方向に回転させると、これに伴って前記の第１回転ギア４１が定着ローラー３１と同方向、すなわち定着時とは逆方向に回転し、前記の第２回転ギア４２が、第１回転ギア４１の回転に伴って、定着時とは逆方向の回動部材５１から離れる方向に移動し、この第２回転ギア４２の回転軸４２ａが、前記の図６（Ｂ）に示すように、定着時とは逆のガイド穴４４ａにおける回動部材５１から離れた側の端部に導かれ、この位置において、第２回転ギア４２が第１回転ギア４１の回転に伴って回転するようになる。
【００４４】
そして、前記のように第２回転ギア４２の回転軸４２ａが、ガイド穴４４ａにおける回動部材５１と離れる側の端部に導かれると、図７（Ｂ）に示すように、この回動部材５１が、前記のバネ部材５４に付勢されて、支点５１ａを中心にして第２回転ギア４２の回転軸３１ａの移動方向、すなわち定着ローラー３１から離れる方向に回動して、この回動部材５１における前記の軸部材５２により、前記の分離爪３４が定着ローラー３１から離れる方向に押されるようになる。このように前記の軸部材５２によって、分離爪３４が定着ローラー３１から離れる方向に押されると、この分離爪３４が前記のバネ３４ｂに抗して定着ローラー３１から離れる方向に回動されて、この分離爪３４の先端部が定着ローラー３１の外周面から離間されるようになり、定着ローラー３１の外周面や分離爪３４の表面が摩耗するが適切に防止されるようになる。
【００４５】
また、前記のようにトナー画像を記録媒体Ｓに定着させない場合において、前記の定着ローラー３１を、トナー画像を記録媒体Ｓに定着させる場合と逆方向に回転させると、前記のように定着ローラー３１を誘導加熱方式の加熱装置３３によって加熱させる場合において、誘導加熱方式の加熱装置３３と対向する定着ローラー３１の一部だけが加熱されて高温になるのも防止される。
【００４６】
なお、前記の画像形成装置１において画像形成を行わず、前記の誘導加熱方式の加熱装置３３による定着ローラー３１の加熱を停止させた状態では、前記の定着ローラー３１の回転を停止させるようにすることができる。
【符号の説明】
【００４７】
１  画像形成装置
１０Ａ〜１０Ｄ  イメージングカートリッジ
１１  感光体
１２  帯電装置
１３  露光装置
１４  現像装置
１５  クリーニング装置
２１  中間転写ベルト
２２  給紙ローラー
２３  タイミングローラー
２４  転写ローラー
２５  第２クリーニング装置
２７  排紙ローラー
３０  定着装置
３１  定着ローラー、３１ａ  回転軸
３２  加圧ローラー（加圧部材）
３３  加熱装置
３４  分離爪、３４ａ  支点、３４ｂ  バネ
４１  第１回転ギア（第１回転部材）
４２  第２回転ギア（第２回転部材）、４２ａ  回転軸
４３  保持部材
４４  プレート、４４ａ  ガイド穴
５０  分離爪制御手段
５１  回動部材、５１ａ  支点
５２  軸部材
５３  当接部
５４  バネ部材
Ｓ  記録媒体
【図１】
2014085567.tif 000003
【図２】
2014085567.tif 000004
【図３】
2014085567.tif 000005
【図４】
2014085567.tif 000006
【図５】
2014085567.tif 000007
【図６】
2014085567.tif 000008
【図７】
2014085567.tif 000009